(57)【要約】      （修正有）【課題】接触フィンガの緩みによるスイッチ装置の故障を解決する、モジュール式フィンガホルダを備えるスイッチ装置接触アセンブリを提供する。【解決手段】接触アセンブリは、２組の接触フィンガ１０２、１０４を含む主接触とハウジングを含む。主接触は、ハウジングに載置される。ハウジングは、少なくとも２つの平坦面を有する。各平坦面は、少なくとも１組の接触フィンガを載置するために設けられる。接触アセンブリは、少なくとも２つのフィンガホルダを含む。各フィンガホルダは、一組の接触フィンガのうちの接触フィンガを載置し、少なくとも２つの保持プレートｈｐ１、ｈｐ２を含む。一組の接触フィンガのうちの少なくとも１つの接触フィンガは、フィンガホルダの２つの保持プレートによって支持される。接触フィンガの第１の部分は、１つの保持プレートによって支持され、接触フィンガの第２の部分は、別の保持プレートによって支持される。【選択図】図４
0003235099.tif 000002
【実用新案登録請求の範囲】
【請求項１】
電気の接続および切断を行うためのスイッチ装置であって、スイッチング動作を行うための接触アセンブリを備え、前記接触アセンブリは、
第１組の接触フィンガ（１０２）および第２組の接触フィンガ（１０４）を含み、電流を伝導するための主接触と、
ハウジング（４０２）とを備え、前記主接触は、前記ハウジング上に載置され、前記ハウジングは、少なくとも２つの平坦面（５０２，５０４）を含み、各平坦面は、１つ以上のフィンガホルダを用いて、前記第１組の接触フィンガおよび前記第２組の接触フィンガのうちの少なくとも１つの接触フィンガを載置するために設けられ、
少なくとも２つのフィンガホルダを備え、各フィンガホルダは、前記ハウジング上の前記対応組の接触フィンガのうちの２つ以上の接触フィンガを載置し、前記２つ以上の接触フィンガ（ｃｆ１，ｃｆ２．．．）を載置するための少なくとも２つの保持プレート（ｈｐ１，ｈｐ２．．．）を含み、少なくとも１つの接触フィンガ（ｃｆ２）は、前記少なくとも２つの保持プレートのうちの少なくとも第１の保持プレートおよび第２の保持プレートによって載置され、前記少なくとも１つの接触フィンガの第１の部分は、前記第１の保持プレートによって載置され、前記少なくとも１つの接触フィンガの第２の部分は、前記第２の保持プレートによって載置される、スイッチ装置。
【請求項２】
各保持プレートは、段差（８０２，９０２，１００２，１００４）を含み、
前記少なくとも２つの保持プレートは、前記２つ以上の接触フィンガを載置するための前記段差で結合される、請求項１に記載のスイッチ装置。
【請求項３】
前記少なくとも２つのフィンガホルダのうちの少なくとも１つのフィンガホルダは、３つの接触フィンガ（ｃｆ１，ｃｆ２，ｃｆ３）を載置し、
前記第１の保持プレート（ｈｐｌ）は、第１の接触フィンガ（ｃｆ１）の前記第１の部分（８０４）、および前記第１の接触フィンガ（ｃｆ１）および第２の接触フィンガ（ｃｆ２）の前記第２の部分（８０６，８０８）を載置し、
前記第２の保持プレート（ｈｐ２）は、前記第２の接触フィンガ（ｃｆ２）および第３の接触フィンガ（ｃｆ３）の前記第１の部分（９０４，９０６）、および前記第３の接触フィンガ（ｃｆ３）の前記第２の部分（９０８）を載置する、請求項１に記載のスイッチ装置。
【請求項４】
前記第１の保持プレートと前記第２の保持プレートとは、同じであり、
各プレートは、段差を含み、
前記２つの保持プレートは、前記３つの接触フィンガを載置するための前記段階で結合される、請求項３に記載のスイッチ装置。
【請求項５】
前記少なくとも２つのフィンガホルダのうちの少なくとも１つのフィンガホルダは、４つ以上の接触フィンガを載置し、
前記少なくとも１つのフィンガホルダは、少なくとも２つの第１種類の保持プレートと、少なくとも１つの第２種類の保持プレートとを含み、
各接触フィンガは、前記第１種類の保持プレートと、前記第１種類の保持プレートおよび前記第２種類の保持プレートと、少なくとも２つの前記第２種類の保持プレートとのうちの１つによって載置される、請求項１に記載のスイッチ装置。
【請求項６】
各保持プレートは、対応する接触フィンガを載置するための少なくとも１つの締結具を介して、前記ハウジングに取り付けられる、請求項１に記載のスイッチ装置。
【請求項７】
前記少なくとも１つの締結具（４０８ａ）は、前記ハウジングの対応する平坦面に設けられた内ねじ山付き貫通孔を介して、前記ハウジングに取り付けられる、請求項６に記載のスイッチ装置。
【請求項８】
前記ハウジングの各平坦面は、前記主接触の対応する組の接触フィンガのうちの接触フィンガを載置するための複数の溝（５０６ａ，５０６ｂ，５０６ｃ；６０２ａ，６０２ｂ，６０２ｃ）を含む、請求項１に記載のスイッチ装置。
【考案の詳細な説明】
【技術分野】
【０００１】
考案の分野
本考案は、一般に、断路器またはアーススイッチなどのスイッチ装置に関する。より詳しくは、本考案は、モジュール式フィンガホルダを備えるスイッチ装置接触アセンブリに関する。
【背景技術】
【０００２】
考案の背景
断路器、アーススイッチ、またはアイソレータなどのスイッチ装置は、異なる構成を有する。例えば、スイッチ装置は、シングルブレーク型スイッチ、ダブルブレーク型スイッチ、サイドブレーク型スイッチ、およびセンタブレーク型スイッチなどを含む。別の例として、断路器は、ターンおよびツイスト型断路器、ニー型断路器などを含む。
【０００３】
これらのスイッチ装置は、典型的には、電流を伝導するための接触を備え、この接触は、接触フィンガを含む。これらの接触フィンガは、通常、共に載置され、主接触を形成する。例えば、接触フィンガの対を載置することによって、主接触を形成することができる。
【０００４】
接触フィンガは、通常、支持プレートまたはフレームを用いて、スイッチ装置の一部の構成要素上に載置され、例えば電流経路パイプまたは鋳造物またはハウジング上に載置される。多くの場合、支持プレートは、何らかの固定機構（例えば、ねじ）を介して電流経路パイプ／鋳造物／ハウジングに固定された矩形プレートである。
【０００５】
このような支持プレートを用いてより多くの数の接触フィンガを載置する場合、一部の接触フィンガは、必要な支持が得られない。例えば、矩形のプレートを用いて３つの接触フィンガを載置する場合、１つ以上の接触フィンガは、締付トルクが得られない可能性がある。これによって、接触フィンガが緩くなり、接触およびスイッチ装置の故障を招く恐れがある。
【考案の概要】
【考案が解決しようとする課題】
【０００６】
考案の概要
本考案は、電気の接続および切断を行うためのスイッチ装置を提供する。スイッチ装置の例は、断路器、アイソレータ、またはアーススイッチを含む。スイッチ装置は、スイッチング動作を行うための接触アセンブリを含む。例えば、スイッチ装置は、高電圧で電流を伝導するための接触アセンブリを含む。接触アセンブリは、電気接続を行うために、固定接触および可動接触を含むことができる。
【課題を解決するための手段】
【０００７】
スイッチ装置の構成に応じて、１つ以上の接触アセンブリは、２組の接触フィンガを有する主接触を含む。この場合、主接触は、第１組の接触フィンガと第２組の接触フィンガとを含む。接触フィンガは、電流を伝導するために使用される。接触アセンブリは、ハウジングをさらに含む。
【０００８】
主接触は、ハウジングに載置される。ハウジングは、接触フィンガを載置するための少なくとも２つ（２つ以上）の平坦面を有する。例えば、ハウジングは、固定接触の一部であってもよく、接触フィンガを特定の向き（例えば、地面に対して水平方向に沿って、２組の接触フィンガを異なる高さ）に載置するための２つの平坦面を含む。別の例では、ハウジングは、接触フィンガを別の向き（例えば、地面に対して水平方向に沿って、２組の接触フィンガを同じ高さ）に載置するために設けられた円筒形パイプの一部であってもよい。
【０００９】
各平坦面は、１つ以上のフィンガホルダを用いて、第１組の接触フィンガおよび第２組の接触フィンガのうちの少なくとも１つの接触フィンガを載置するために設けられる。例えば、１つの平坦面は、第１組を載置するために設けられ、別の平坦面は、第２組の接触フィンガを載置するために設けられる。例えば、１つの平坦面は、一組の接触フィンガを載置するために設けられ、別の平坦面は、別組の接触フィンガを載置するために設けられる。これらの平坦面は、２組の接触フィンガを所望の向きに載置することによって、主接触を形成するように設けられる。
【００１０】
いくつかの実施形態によれば、ハウジングの各平坦面は、主接触の対応する組の接触フィンガのうちの接触フィンガを載置するための複数の溝を有する。各溝は、接触フィンガを収容するための適切な形状（例えば、半円筒形）を有してもよい。したがって、平坦面は、一組の接触フィンガを収容するためのいくつかの溝を有してもよい。
【００１１】
様々な実施形態によれば、各平坦面は、少なくとも１つ（１つ以上）の締結具を収容するための内ねじ山付き貫通孔または他の適切な開口を有する。例えば、平坦面は、２つ以上の貫通孔を有することができる。
【００１２】
接触アセンブリは、少なくとも２つ（２つ以上）のフィンガホルダを有する。例えば、接触アセンブリは、２つのフィンガホルダを有する。各フィンガホルダは、ハウジング上の対応組の接触フィンガのうち、２つ以上の接触フィンガを載置する。例えば、１つのフィンガホルダは、第１組の接触フィンガの全ての接触フィンガを載置し、別のフィンガホルダは、第２組の接触フィンガの全ての接触フィンガを載置する。別の例では、２つのフィンガホルダを用いて、第１組の接触フィンガの全ての接触フィンガを載置する。
【００１３】
各フィンガホルダは、２つ以上の接触フィンガを載置するための少なくとも２つの保持プレートを有する。いくつかの実施形態によれば、各保持プレートは、対応する接触フィンガを載置するための少なくとも１つの締結具を介して、ハウジングに取り付けられる。少なくとも１つの締結具は、ハウジングの対応する平坦面に設けられた貫通孔を介して、ハウジングに取り付けられてもよい。例えば、各保持プレートに２つのねじ（または他の適切な締結具）を設け、接触フィンガを載置するためにハウジングに設けられた貫通孔にねじをねじ込むことができる。
【００１４】
様々な実施形態によれば、各保持プレートは、段差を含む。この場合、フィンガホルダの少なくとも２つの保持プレートは、２つ以上の接触フィンガを載置するための段差で結合される。例えば、フィンガホルダは、２つの保持プレートを有し、各プレートは、１つの段差を有する。この場合、２つのプレートは、接触フィンガを載置するためのフィンガホルダを形成するために、この段差で結合されてもよい。
【００１５】
接触アセンブリにおいて、少なくとも１つの接触フィンガは、少なくとも２つの保持プレートのうち、少なくとも第１の保持プレートおよび第２の保持プレートによって載置される。この場合、少なくとも１つの接触フィンガの第１の部分は、第１の保持プレートによって載置され、少なくとも１つの接触フィンガの第２の部分は、第２の保持プレートによって載置される。
【００１６】
例えば、接触アセンブリの少なくとも１つのフィンガホルダを用いて、３つの接触フィンガを載置することができる。この場合、第１の保持プレートは、第１の接触フィンガの第１の部分を載置する。また、第１の保持プレートは、第１の接触フィンガおよび第２の接触フィンガの第２の部分を載置する。さらに、第２保持プレートは、第２接触フィンガおよび第３接触フィンガの第１の部分、および第３接触フィンガの第２部分を載置する。
【００１７】
いくつかの実施形態によれば、少なくとも１つのフィンガホルダの少なくとも２つの保持プレートは、同じである。３本の接触フィンガを載置する例によれば、第１の保持プレートと第２の保持プレートとは、同じである。この場合、各プレートは、段差を含み、２つの保持プレートは、３つの接触フィンガを載置するための段差で結合される。
【００１８】
いくつかの実施形態において、少なくとも２つのフィンガホルダのうちの少なくとも１つのフィンガホルダは、４つ以上の接触フィンガを載置する。この場合、少なくとも１つのフィンガホルダは、少なくとも２つの第１種類の保持プレートと少なくとも１つの第２種類の保持プレートとを含む。例えば、４つの接触フィンガを載置するために、２つの第１種類の保持プレートと１つの第２種類の保持プレートとを使用することができる。別の例として、５つの接触フィンガを載置するために、２つの第１種類の保持プレートと２つの第２種類の保持プレートとを使用することができる。
【００１９】
これらの実施形態によれば、各接触フィンガは、第１種類の保持プレートと、第１種類の保持プレートおよび第２種類の保持プレートと、少なくとも２つの第２種類の保持プレートとのうちの１つによって載置される。例えば、接触フィンガは、１つの第１種類の保持プレートによって載置されてもよい。別の例として、接触フィンガは、１つの第１種類の保持プレートおよび１つの第２種類の保持プレートによって載置されてもよい。さらに別の例として、接触フィンガは、２つの第２種類の保持プレートによって載置されてもよい。
【００２０】
したがって、接触アセンブリは、２つ以上のモジュール式フィンガホルダを有する。すなわち、接触フィンガの数に応じて、フィンガホルダの板（保持プレート）を結合することができる。接触フィンガの数に応じて、異なる数の保持プレートを結合することによって、フィンガホルダを形成することができる。
【００２１】
以下、添付の図面に示される例示的な実施形態を参照して、本考案の主題をより詳細に説明する。
【図面の簡単な説明】
【００２２】
【図１】スイッチ装置の接触アセンブリを示す図である。
【図２】図１の接触アセンブリを示す拡大斜視図である。
【図３】別のスイッチ装置の接触アセンブリを示す図である。
【図４】本考案の一実施形態に係るスイッチ装置の接触アセンブリを示す図である。
【図４】本考案の一実施形態に係るスイッチ装置の接触アセンブリを示す図である。
【図５】本考案の一実施形態に係る接触アセンブリのハウジングを示す図である。
【図６】本考案の一実施形態に係る別のスイッチ装置の接触アセンブリのハウジングを示す図である。
【図７】本考案の別の実施形態に係るスイッチ装置の接触アセンブリを示す図である。
【図８】図４に示されたスイッチ装置の接触アセンブリを示す斜視図である。
【図９】図４に示されたスイッチ装置の接触アセンブリを示す斜視図である。
【図１０】図７に示されたスイッチ装置の接触アセンブリを示す斜視図である。
【考案を実施するための形態】
【００２３】
詳細な説明
本考案は、電気の接続および切断を行うためのスイッチギヤに関する。スイッチ装置は、断路器、アイソレータ、またはアーススイッチであってもよいが、これらに限定されない。スイッチ装置は、スイッチング動作を行うための接触アセンブリを含む。例えば、スイッチ装置は、高電圧で電流を伝導するための接触アセンブリを含む。接触アセンブリは、電気接続を行うために、固定接触および可動接触を含むことができる。
【００２４】
図１から３を参照して、断路器の接触アセンブリが示されている。断路器は、任意の種類または構成を有することができる。図１は、サイドブレークまたはダブルブレーク断路器の接触アセンブリを示し、図３は、センタブレーク断路器の接触アセンブリを示している。
【００２５】
図１および３に示すように、接触アセンブリは、１０２、１０４によって示される２組の接触フィンガを含む主接触を有する。各組の接触フィンガは、複数の接触フィンガを有する。例えば、一組の接触フィンガは、２つの接触フィンガ、３つの接触フィンガ（図３を参照）、５つの接触フィンガ（図１を参照）などを有することができる。各接触フィンガは、円筒形であってもよい。必要に応じて、フィンガの載置を容易にするために、接触フィンガの一部は、平坦（１０８）であってもよい。
【００２６】
保持するフィンガ（接触フィンガ）の数が２つからより大きな数に増加するにつれて、例えば図２に示すフィンガホルダ１０６を使用する場合、任意の１つ以上のフィンガは、アセンブリ内で緩くなる可能性がある。その理由は、接触フィンガを確実に保持するために必要とされるハウジング、接触フィンガ、フィンガホルダなどの表面の製造が困難であることに起因すると考えられる。例えば、接触フィンガを載置するためにハウジングに溝を設けることがある。通常、全ての溝表面を同じ深さに加工することは困難である。追加的にまたは代替的に、フィンガは、平坦な表面を有することができ、フィンガの幅は、わずかに異なることがある。したがって、フィンガホルダ１０６などを用いて載置する場合、全てのフィンガは、同じ高さに載置されない。このため、締め付けるときに、２つのフィンガのみに適切な保持力が加えられ、残りのフィンガがアセンブリ内で緩く保持される。例えば、両側のフィンガまたは中央のフィンガは、緩んだままに保持され、他の２つのフィンガは、適切に締め付けられる。このことは、接触アセンブリの故障につながる。例えば、緩んだフィンガによって電気伝導が不良になり、いくつかの接触点に熱が発生する可能性がある。一般的に、スイッチ装置内の緩い接合は、ホットスポットの形成または他の問題を引き起こす可能性がある。
【００２７】
したがって、本考案は、上記の課題を解決するために、接触フィンガを載置するための接触アセンブリを含むスイッチギヤを提供する。上記の課題を解決するために、接触フィンガを載置するための接触アセンブリは、スイッチ装置の構成に応じて、１つであってもよく、複数であってもよい。したがって、スイッチ装置の１つ以上の接触アセンブリは、図１または図３に示すように、２組の接触フィンガを有するが、これらに限定されない主接触を含む。この場合、主接触は、第１組の接触フィンガ（１０２）と第２組の接触フィンガ（１０４）とを含む。接触フィンガは、電流を伝導するために使用される。接触アセンブリは、ハウジングをさらに含む。
【００２８】
主接触は、例えば図４に示すように、ハウジング（４０２）に載置される。ハウジングは、接触フィンガを載置するための少なくとも２つ（２つ以上）の平坦面を有する。図５に示すように、ハウジングは、固定接触の一部であってもよく、接触フィンガを特定の向き（例えば、地面に対して水平方向に沿って、２組の接触フィンガを異なる高さ）に載置するための２つの平坦面（５０２、５０４）を含む。代替的には、図６に示すように、ハウジングは、接触フィンガを別の向き（例えば、地面に対して水平方向に沿って、２組の接触フィンガを同じ高さ）に載置するために設けられた円筒形パイプの一部であってもよい。図６では、ハウジングは、電流パイプ（図３を参照）の端部に設けられており、２つの平坦面（６０２、６０４）は、２組の接触フィンガを載置するために設けられている。
【００２９】
各平坦面は、１つ以上のフィンガホルダを用いて、第１組の接触フィンガおよび第２組の接触フィンガのうち、少なくとも１つの接触フィンガを載置するために設けられる。例えば、１つの平坦面（例えば、５０２または６０２）は、一組の接触フィンガを載置するために設けられ、別の平坦面（例えば、５０４または６０４）は、別組の接触フィンガを載置するために設けられる。これらの平坦面は、２組の接触フィンガを所望の向きに載置することによって、主接触を形成するように設けられる。図示の実施形態において、接触フィンガは、サイドブレークまたはセンタブレーク操作を行うために、対で載置される。接触フィンガは、図示されていないが、例えば垂直ブレークまたはニー型断路器またはアーススイッチに載置される接触フィンガなど、当業者には公知である様々な構成を有してもよい。
【００３０】
図５および６に示すように、ハウジングの各平坦面は、主接触の対応する組の接触フィンガの接触フィンガを載置するための複数の溝（５０６ａ、５０６ｂ、５０６ｃ．．．６０６ａ、６０６ｂ、６０６ｃ．．．）を含む。なお、異なる図において、平坦面が溝を有することが示されているが、溝は、必須ではない。接触フィンガまたはフィンガホルダは、載置を容易にするために適切に変形されてもよい。この場合、平坦面上に溝を設ける必要がない。図５および６に示すように５０６、６０６などの溝を設ける場合、各溝は、接触フィンガを収容する適切な形状（例えば、半円筒形）を有してもよい。したがって、平坦面は、平坦であってもよく、または一組の接触フィンガの接触フィンガを収容するためのいくつかの溝を有してもよい。溝の数は、接触アセンブリの容量に依存する。例えば、溝の数は、図５に示すように５つであってもよく、または図６に示すように３つであってもよい。
【００３１】
様々な実施形態によれば、各平坦面は、少なくとも１つ（１つ以上）の締結具を収容するための貫通孔または他の適切な開口を有する。例えば、平坦面は、２つ以上の内ねじ山付き貫通孔、例えば図５に示された内ねじ山付き貫通孔５１０ａ、５１０ｂ、５１２ａ、５１２ｂなど、または図６に示された内ねじ山付き貫通孔６１０ａ、６１０ｂなどを有することができる。これらの内ねじ山付き貫通孔は、ねじなどの締結具を取り付けるために使用される。なお、接触フィンガを載置するために、締結具を取り付けるためのものには差があり得る。例えば、２つのねじを取り付けるための２つの内ねじ山付き貫通孔の代わりに、１つの内ねじ山付き貫通孔を設けてもよい。要素をハウジングに取り付けるための代替機構のこのような変形は、当業者には明白であろう。
【００３２】
平坦面は、主接触をハウジング上に載置するために使用される。本考案のフィンガホルダは、接触フィンガを平坦面上に載置するために使用される。異なる実施形態によれば、スイッチ装置の接触アセンブリ（または複数の接触アセンブリ）は、少なくとも２つ（２つ以上）のフィンガホルダを有する。例えば、接触アセンブリは、本考案に係るフィンガホルダを有する図３の接触アセンブリと同様に、２つのフィンガホルダを有する。別の例として、図４に示すように、接触アセンブリは、４つのフィンガホルダを有し、２つのフィンガホルダは、各組の接触フィンガを載置する。図４に示すように、異なるフィンガホルダを用いて、接触フィンガを載置することができる。図４では、本考案のモジュール式フィンガホルダ（４０４ａ、４０４ｂ）は、他のフィンガホルダ（４０６ａ、４０６ｂ）と共に使用され、主接触を載置する。代替的には、図７に示すように、２つのモジュール式フィンガホルダ（７０２ａ、７０２ｂ）を用いて、接触フィンガを載置することができる。
【００３３】
各フィンガホルダは、ハウジング上の対応組の接触フィンガのうち、２つ以上の接触フィンガを載置する。例えば、各フィンガホルダ（例えば、７０２ａ、７０２ｂ）は、一組の接触フィンガの全ての接触フィンガを載置する。別の例では、２つのフィンガホルダを用いて、一組の接触フィンガ（例えば４０４ａ、４０６ａ；４０４ｂ、４０６ｂ）の全ての接触フィンガを載置する。
【００３４】
本考案の各フィンガホルダは、２つ以上の接触フィンガを載置するために少なくとも２つの保持プレートを有する。例えば、フィンガホルダ４０４ａおよび４０４ｂは、２つの保持プレート（例えば、図４に示されたｈｐ１およびｈｐ２）を有し、フィンガホルダ７０２ａおよび７０２ｂは、５つの保持プレート（例えば、図７に示されたｈｐ１、ｈｐ２、ｈｐ３、ｈｐ４およびｈｐ５）を有する。
【００３５】
本考案のフィンガホルダは、結合するとフィンガホルダを形成することができる同じ種類のプレートまたは異なる種類のプレートを有することができる。一実施形態において、４０４ａおよび４０４ｂによって示されたフィンガホルダは、同じ種類の２つの保持プレート（すなわち、図４に示されたｈｐ１およびｈｐ２）を有する。一実施形態において、７０２ａおよび７０２ｂによって示されたフィンガホルダは、２つの第１種類の保持プレート（例えば、図７に示されたｈｐ１およびｈｐ５）と、３つの第２種類の保持プレート（例えば、図７に示されたｈｐ２、ｈｐ３およびｈｐ４）とを有する。したがって、いくつかの実施形態によれば、本考案のフィンガホルダは、２つの同様のプレートで形成されてもよく、いくつかの他の実施形態によれば、本考案のフィンガホルダは、２種類のプレートで形成されてもよい。
【００３６】
様々な実施形態によれば、各保持プレートは、段差を有する。例えば、ｈｐ１は、図８の８０２によって示された段差を有し、ｈｐ２は、図９の９０２によって示された段差を有し、またはｈｐ２は、図１０の１００２および１００４によって示された２つの段差を有する。フィンガホルダの少なくとも２つの保持プレートは、２つ以上の接触フィンガを載置するための段差で結合される。例えば、図４に示すように、フィンガホルダは、２つの保持プレートを有し、各プレートは、１つの段差（例えば、図８に示す８０２または図９に示す９０２）を有する。この場合、２つのプレート（ｈｐ１、ｈｐ２）は、２つの段差で結合され、図４に示すように、接触フィンガを載置するためのフィンガホルダ（例えば、４０４ａ）を形成することができる。
【００３７】
接触フィンガは、保持プレートによって載置される。様々な実施形態によれば、少なくとも１つの接触フィンガは、少なくとも２つの保持プレートのうちの少なくとも第１の保持プレートおよび第２の保持プレートによって載置される。この場合、少なくとも１つの接触フィンガの第１の部分は、第１の保持プレートによって載置され、少なくとも１つの接触フィンガの第２の部分は、第２の保持プレートによって載置される。
【００３８】
フィンガホルダ４０４ａまたは４０４ｂを検討する。接触アセンブリのフィンガホルダ（例えば、４０４ａ）は、３つの接触フィンガ（図８に示すｃｆ１、ｃｆ２およびｃｆ３）を載置するために使用される。この場合、第１の保持プレート（ｈｐｌ）は、第１の接触フィンガ（ｃｆ１）の第１の部分（８０４）を載置する。また、第１の保持プレートは、第１の接触フィンガ（ｃｆ１）および第２の接触フィンガ（ｃｆ２）の第２の部分（８０６、８０８）を載置する。さらに、第２の保持プレート（図９のｈｐ２）は、第２の接触フィンガ（ｃｆ２）および第３の接触フィンガ（ｃｆ３）の第１の部分（９０４、９０６）、および第３の接触フィンガ（ｃｆ３）の第２の部分（９０８）を載置する。
【００３９】
したがって、このフィンガホルダ（すなわち、４０４ａまたは４０４ｂ）の場合、ｈｐｌを用いて、ｃｆ１の全体およびｃｆ２の一部分（８０８）を載置する。同様に、ｈｐ２を用いて、ｃｆ３の全体およびｃｆ２の一部分（９０４）を載置する。したがって、少なくとも１つの接触フィンガ（この場合、ｃｆ２）は、２つのプレートによって載置される。一方のプレートは、接触フィンガの一部分を載置し、他方のプレートは、接触フィンガの他の部分を載置する。
【００４０】
フィンガホルダ７０２ａまたは７０２ｂを検討する。フィンガホルダ（例えば、７０２ａ）は、６つの接触フィンガを載置する。このフィンガホルダは、２つの第１種類の保持プレート（図７のｈｐ１およびｈｐ５）と、３つの第２種類の保持プレート（ｈｐ２、ｈｐ３およびｈｐ４）とを含む。なお、４つのフィンガを支持する場合に、フィンガホルダは、２つの第１種類の保持プレートおよび１つの第２種類の保持プレートから形成されてもよい。同様に、５つのフィンガを載置する場合、フィンガホルダは、２つの第２種類の保持プレートから形成されてもよい。
【００４１】
このフィンガホルダ（７０２ａ）の場合、各接触フィンガは、第１種類の保持プレートと、第１種類の保持プレートおよび第２種類の保持プレートと、少なくとも２つの第２種類の保持プレートのうち、１つの保持プレートによって載置される。例えば、（４０４ａ内のｃｆ１と同様に）ｃｆ１は、ｈｐｌによって載置される。別の例として、ｃｆ２は、ｈｐ１およびｈｐ２によって載置される。さらに別の例として、ｃｆ３は、ｈｐ２およびｈｐ３によって載置される。図１０に示されたｃｆ１およびｃｆ６の載置は、図８および９に示されたｃｆ１およびｃｆ３の載置と同様である。図１０の接触フィンガｃｆ２〜ｃｆ５は、図８および図９のｃｆ２と同様に載置される。相違点は、使用される保持プレートが若干異なることである。例えば、図７のｈｐ２、ｈｐ３、ｈｐ４を参照する。これらの保持プレートは、２つの段差１００２、１００４を有するように設計されている。一方の段差は、接触フィンガの第１の部分を載置するために使用され、他方の段差は、別の接触フィンガの第２の部分を載置するために使用される。例えば、図１０のｈｐ２は、ｃｆ２の第１の部分およびｃｆ３の第２の部分を載置する。ｃｆ３の第１の部分は、ｈｐ３によって載置される。理解のために、いくつかの部材は、図８〜１０には示されていない（例えば、ｈｐ２は、図８に示されておらず、ｈｐ１は、図９に示されておらず、ｈｐ３は図１０に示されない）。
【００４２】
これらの保持プレートは、接触フィンガを載置するために、１つ以上の締結具を介してハウジングに取り付けられる。図示の実施形態において、各保持プレートは、対応する接触フィンガを載置するために、少なくとも１つの締結具を介してハウジングに取り付けられる。少なくとも１つの締結具は、ハウジングの対応する平坦面に設けられた内ねじ山付き貫通孔（例えば、５１０ａ、５１０ｂ；６１０ａ、６１０ｂ）を介して、ハウジングに取り付けられてもよい。図４に示すように、２つのねじ４０８ａ、４０８ｂ（または他の適切な締結具）は、各保持プレートに設けられ、これらのねじは、接触フィンガを載置するためにハウジングに設けられた内ねじ山付き貫通孔（例えば、５１０ａ、５１０ｂ）にねじ込むことができる。なお、締結機構の締結具の数は、異なってもよい。例えば、２つのねじ／貫通孔の代わりに、１つのねじおよび貫通孔を用いて、１つのプレートを載置することができる。別の例として、ねじの代わりにクランプ装置を設けてもよい。
【００４３】
したがって、保持プレートは、接触フィンガを載置するために、結合される。異なる実施形態によれば、スイッチ装置の接触アセンブリは、２つ以上のモジュール式フィンガホルダを有する。すなわち、フィンガホルダの板（保持プレート）は、接触フィンガの数に応じて結合される。接触フィンガの数に応じて、保持プレートは、異なる数で結合され、フィンガホルダを形成する。したがって、各保持プレートは、特定の接触フィンガを保持する。これによって、必要な締付トルクを各フィンガに与えることができる。保持プレートがフィンガの全体を載置する場合、保持プレート自体は、全てのトルクを与える。２つの保持プレートがフィンガを載置する場合、一方のプレートは、フィンガの一部分にトルクを与え、他方のプレートは、フィンガの別の部分にトルクを与える。プレートの段差構造は、プレート／ホルダの重なりを強化することによって、２つのプレートによって覆われたときに十分な被覆をフィンガに提供する。各保持プレートの接触面積は、従来のフィンガホルダの接触面積より小さいため、各フィンガを保持するための力が満たされ、緩い接合による故障の可能性を最小化する。本考案のフィンガホルダは、フィンガの組立てに柔軟性を与え、表面の凹凸に応じて調整することができる。さらに、フィンガホルダは、表面の凹凸による問題を克服するのに役立つ。従来のフィンガホルダの単一プレートに比べて、フィンガホルダは、複数のプレートを有するため、表面の凹凸の影響を最小化することができる。フィンガホルダの各プレートは、２つのプレートの接合境界で表面からの高さを調整することによって、凹凸に対処する。
【図１】
0003235099.tif 000003
【図２】
0003235099.tif 000004
【図３】
0003235099.tif 000005
【図４】
0003235099.tif 000006
【図５】
0003235099.tif 000007
【図６】
0003235099.tif 000008
【図７】
0003235099.tif 000009
【図８】
0003235099.tif 000010
【図９】
0003235099.tif 000011
【図１０】
0003235099.tif 000012
【手続補正書】
【提出日】令和3年7月16日(2021.7.16)
【手続補正１】
【補正対象書類名】実用新案登録請求の範囲
【補正対象項目名】全文
【補正方法】変更
【補正の内容】
【実用新案登録請求の範囲】
【請求項１】
電気の接続および切断を行うためのスイッチ装置であって、スイッチング動作を行うための接触アセンブリを備え、前記接触アセンブリは、
第１組の接触フィンガ（１０２）および第２組の接触フィンガ（１０４）を含み、電流を伝導するための主接触と、
ハウジング（４０２）とを備え、前記主接触は、前記ハウジング上に載置され、前記ハウジングは、少なくとも２つの平坦面（５０２，５０４）を含み、各平坦面は、一列に配置された１つ以上のフィンガホルダを用いて、前記第１組の接触フィンガおよび前記第２組の接触フィンガのうちの少なくとも１つの接触フィンガを載置するために設けられ、
少なくとも２つのフィンガホルダを含み、各フィンガホルダは、前記ハウジング上の前記対応組の接触フィンガのうちの２つ以上の接触フィンガを載置し、一列に配置され且つ前記２つ以上の接触フィンガ（ｃｆ１，ｃｆ２．．．）を載置するための少なくとも２つの保持プレート（ｈｐ１，ｈｐ２．．．）を備え、各保持プレートは、少なくとも２つの締結具を介して前記ハウジングに取り付けられ、
少なくとも１つの接触フィンガ（ｃｆ２）は、前記少なくとも２つの保持プレートのうちの少なくとも第１の保持プレートおよび第２の保持プレートによって載置され、前記少なくとも１つの接触フィンガの第１の部分は、前記第１の保持プレートによって載置され、前記少なくとも１つの接触フィンガの第２の部分は、前記第２の保持プレートによって載置される、スイッチ装置。
【請求項２】
各保持プレートは、段差（８０２，９０２，１００２，１００４）を含み、
前記少なくとも２つの保持プレートは、前記２つ以上の接触フィンガを載置するための前記段差で結合される、請求項１に記載のスイッチ装置。
【請求項３】
前記少なくとも２つのフィンガホルダのうちの少なくとも１つのフィンガホルダは、３つの接触フィンガ（ｃｆ１，ｃｆ２，ｃｆ３）を載置し、
前記第１の保持プレート（ｈｐｌ）は、第１の接触フィンガ（ｃｆ１）の、前記第１の保持プレート（ｈｐｌ）を前記ハウジングに取り付けるための第１の締結具に近位する前記第１の部分（８０４）を載置し、前記第１の保持プレート（ｈｐｌ）は、前記第１の接触フィンガ（ｃｆ１）および第２の接触フィンガ（ｃｆ２）の、前記第１の保持プレート（ｈｐｌ）を前記ハウジングに取り付けるための第２の締結具に近位する前記第２の部分（８０６，８０８）を載置し、
前記第２の保持プレート（ｈｐ２）は、前記第２の接触フィンガ（ｃｆ２）および第３の接触フィンガ（ｃｆ３）の、前記第２の保持プレート（ｈｐ２）を前記ハウジングに取り付けるための第３の締結具に近位する前記第１の部分（９０４，９０６）を載置し、前記第２の保持プレート（ｈｐ２）は、前記第３の接触フィンガ（ｃｆ３）の、前記第２の保持プレート（ｈｐ２）を前記ハウジングに取り付けるための第４の締結具に近位する前記第２の部分（９０８）を載置する、請求項１に記載のスイッチ装置。
【請求項４】
前記第１の保持プレートと前記第２の保持プレートとは、同じであり、
各プレートは、段差を含み、
前記２つの保持プレートは、前記３つの接触フィンガを載置するための前記段階で結合される、請求項３に記載のスイッチ装置。
【請求項５】
前記少なくとも２つのフィンガホルダのうちの少なくとも１つのフィンガホルダは、４つ以上の接触フィンガを載置し、
前記少なくとも１つのフィンガホルダは、少なくとも２つの第１種類の保持プレートと、少なくとも１つの第２種類の保持プレートとを含み、
各接触フィンガは、前記第１種類の保持プレートと、前記第１種類の保持プレートおよび前記第２種類の保持プレートと、少なくとも２つの前記第２種類の保持プレートとのうちの１つによって載置される、請求項１に記載のスイッチ装置。
【請求項６】
前記第２種類の保持プレートは、２つの段差を含み、
第１の段差に隣接する前記保持プレートの一部は、前記接触フィンガの前記第１の部分を載置し、
第２の段差に隣接する前記保持プレートの一部は、別の接触フィンガの前記第２の部分を載置する、請求項５に記載のスイッチ装置。
【請求項７】
前記少なくとも２つの締結具（４０８ａ，４０８ｂ）は、前記ハウジングの対応する平坦面に設けられた内ねじ山付き貫通孔を介して、前記ハウジングに取り付けられる、請求項１に記載のスイッチ装置。
【請求項８】
前記ハウジングの各平坦面は、前記主接触の対応する組の接触フィンガのうちの接触フィンガを載置するための複数の溝（５０６ａ，５０６ｂ，５０６ｃ；６０２ａ，６０２ｂ，６０２ｃ）を含む、請求項１に記載のスイッチ装置。
【手続補正２】
【補正対象書類名】明細書
【補正対象項目名】００２２
【補正方法】変更
【補正の内容】
【００２２】
【図１】スイッチ装置の接触アセンブリを示す図である。
【図２】図１の接触アセンブリを示す拡大斜視図である。
【図３】別のスイッチ装置の接触アセンブリを示す図である。
【図４】本考案の一実施形態に係るスイッチ装置の接触アセンブリを示す図である。
【図５】本考案の一実施形態に係る接触アセンブリのハウジングを示す図である。
【図６】本考案の一実施形態に係る別のスイッチ装置の接触アセンブリのハウジングを示す図である。
【図７】本考案の別の実施形態に係るスイッチ装置の接触アセンブリを示す図である。
【図８】図４に示されたスイッチ装置の接触アセンブリを示す斜視図である。
【図９】図４に示されたスイッチ装置の接触アセンブリを示す斜視図である。
【図１０】図７に示されたスイッチ装置の接触アセンブリを示す斜視図である。